(57)【要約】      （修正有）【課題】  岩盤浴を安価にて、岩盤浴場、住居内に提供し、衛生面、メンテナンス性を改善し、家族の美容、健康向上を促進する。【解決手段】  ブラックシリカの表面積の多い岩盤浴スライス平盤３００角を使用し、遠赤外線を発する為の熱源を温水循環可能なボイラーから取り入れ、熱源を床暖房パネル１６から取り入れ、床暖房用パネル１帖の上に直接岩盤浴平盤１５をのせる。これにより、１時間程度にて岩盤浴平盤を４０度〜４３度にし遠赤効果により保熱し、温水が冷めにくくランニングコストを抑えることが出来る。スライス盤をそれぞれ取り外しできるようにしたので、簡単に取り外し水洗いを行え、かつ、スライス盤も半永久的に使用できるようにした。イニシャルコストも削減できた。【選択図】  図１
2007054569.tif 000002
【特許請求の範囲】
【請求項１】
温水を循環可能な暖房用ボイラーを有し、温水を循環する配管経路に電磁弁を有し、電磁弁用のスイッチを有し、循環された温水の配管経路に床暖房パネルを有し、その床暖房パネルの上に直接取り外し可能な岩盤浴平板を有し、１室内の壁面の腰壁部には木質パネルを有し、腰壁上部には調湿可能なセンサー付換気扇、調湿壁材を、天井には調湿可能な調湿壁材を有し、壁、床には断熱材、気密ビニールを有した、床暖房パネル式岩盤浴構造。
【発明の詳細な説明】
【技術分野】
【０００１】  本発明は、１室内に於いて床暖房パネルにて温めた岩盤浴平板の上に横になり、岩盤浴平板の遠赤外線、磁鉄鉱による波動エネルギーの放射、マイナスイオン効果により健康を促すための岩盤浴構造に関する。
【背景技術】
【０００２】  従来の岩盤浴構造には、主に店舗、温浴施設で扱われ、岩盤浴を従来の仕様で施工すると、コンクリート工事、防水工事を主とするため工事費用が高く、衛生面も岩盤浴平板の表面についた人間の汗をとる為、水洗いをその場で行うが、湿度が高くなり過ぎるため、壁面へのカビの発生問題が起きてきている。岩盤用平板も、主材である石の中に含まれるミネラルの影響から茶色のサビが表面に浮くがモルタル面に埋設している為、取り外して交換するのは容易ではない。熱源である温水を循環させるボイラーも、温水を循環させている配管がコンクリート内に埋設されている為、岩盤浴平板を温める時間が長くかかり、２４時間ボイラーの運転を消すことが出来ず、無駄なランニングコストが発生している。住宅で取り扱う場合に関してはさらに、従来の仕様で施工すると湿度から構造材である木材への影響が心配される。しかしながら、岩盤浴の入浴の際、健康を促進するために必要な皮脂腺からの汗を出す為には、岩盤浴平板の表温、室温、湿度を必要温に至らせるには従来の施工方法でしかない。住宅用の電気式ユニット化も販売せれているが解決されていない。（特許文献１・２参照。）。
【特許文献１】特開２００５−０８７６５１
【特許文献２】特開２００５−０７３８００
【発明の開示】
【発明が解決しようとする課題】
【０００３】  岩盤浴を従来の仕様で施工すると、コンクリート工事、防水工事での工事費用が高くなるのと、衛生面でのカビの発生、岩盤浴平板のメンテナンスの問題、ランニングコスト高となること、住宅用として扱う場合の構造材への影響が心配される。【０００４】  本発明は、このような従来の岩盤浴を使用される消費者からの課題に着目したものであり、岩盤浴場、戸建木造住宅内に、安価でメンテナンス性が良く、衛生面の解決された床暖房パネル式岩盤浴構造を提供することを目的としている。
【課題を解決するための手段】
【０００５】  上記目的を達成するために、本発明に係る床暖房パネル式岩盤浴構造は、温水の循環可能な暖房用ボイラーを利用し床暖房パネル１帖分を敷きこみ、その上に直接岩盤浴平板をのせ温めることにより岩盤浴を行う。住宅に於いては、住宅用暖房に布設されている暖房用ボイラーに電磁弁を配管経路に設けることにより利用可能にしている。【０００６】  床暖房パネルを利用することにより、従来の施工方法であるコンクリート工事、防水工事の施工を行う必要がなくなり、木材、建材で構成することができ、コスト面、メンテナンス性、衛生面を解決できる。【０００７】  床暖房パネルを利用したことにより、岩盤浴平板を床暖房パネルに接着することがなくなり、簡単に取り外しが出来、水洗いができる、かつ１枚ごとでも交換可能である。【０００８】  床暖房パネルと岩盤用平板が直接接することにより、熱効果を上げ、温水の循環可能なボイラーを２４時間運転しなくても、運転後１時間にて必要温度に達することが出来、灯油代も１時間３円と節約ができる。【０００９】  温水の時間設定と温度設定をシステム化したことにより、常時一定の表温、温度、湿度にて入浴が可能となった。【００１０】  壁面に湿度センサー付換気扇、壁面、天井面に調湿性の高い建材、腰壁面に木質パネル、壁に断熱板、気密ビニールを使い１室の湿度調整を行いカビの発生を防ぐ。
【発明の効果】
【００１１】  床暖房パネル式岩盤浴構造とすることにより、岩盤浴場の高い工事費を抑えることが出来、健康によいとされる岩盤浴をさらに普及されることが出来、従来のカビの発生、湿度の抑制、岩盤浴平板の部分的な交換と清掃が可能となる。独自のボイラー設定システムと調湿システムにより、温水を循環させるボイラーも常時運転を行うことがなくなり、灯油代を節約できる。住宅に於いても、容易に岩盤浴を取り入れることができ、家族全員が毎日利用可能であり、家で住まうことが化学物質等の影響により良くないとされるなか、健康、美容効果を促すことができる。
【発明を実施するための最良の形態】
【００１２】  以下、図面により、本発明の実施の形態について説明する。
図１乃至図５は、本発明の実施の形態の床暖房パネル式岩盤浴構造を示している。
図１乃至図５に示すように、床暖房パネル式岩盤浴構造は、木床１０、１７、１８、１９、２１、２４、２６、床暖房パネル１６、岩盤浴平板１５、セラミックタイル２０、壁１０、１１、１２、１３、１４、２１、２２、２５、２８、２９、天井１０、１１、２１、２３とを有している。【００１３】  木床は、２４ｍｍのラワン合板１９と、５７ｍｍ×４２ｍｍの小根太２４、気密シート０．２ｍｍ２１、１２ｍｍのラワンベニヤ１７、床暖房パネル１１．５ｍｍ１６、岩盤欲平板３０ｍｍ１５及びセラミックタイル２０ｍｍ２０より構成され、岩盤浴平板１５とセラミックタイル２０は取り外し可能であり、容易に運べ水洗いでき、メンテナンス性も充実している。【００１４】  本床は、２重床断熱構造であり、断熱材８５ｍｍ１０と断熱板５０ｍｍ１８で構成される。【００１５】  本床は、床暖房パネルの上に直接、岩盤浴平板をのせ全体に効果的に熱を伝える構造である。これにより、ボイラー始動より１時間にて岩盤用平板の表温を４０度〜４３度にすることが可能である。ボイラーの燃料費も１時間で灯油５８ｍｌであり、灯油１０００ｍｌ現行５０円で計算すると３円銭となり低燃費である。【００１６】  本壁は、床面より９８ｃｍまでは、木質パネリング１１．５ｍｍ１４、プラスターボード１２．５ｍｍ１１、気密シート０．２ｍｍ２１、断熱材８５ｍｍ１０で構成され、木質パネリングの香りでリラックス感を引き出すのと、湿度につよい木質を使用している。【００１７】  本壁は、床面より９８ｃｍ以上は、調湿材４ｍｍ１２、プラスターボード１２．５ｍｍ１１、気密シート０．２ｍｍ２１、断熱材８５ｍｍ１０で構成され、調湿材にて室内の湿度を調整する。【００１８】  本天井は、調湿材４ｍｍ１２、プラスターボード１２．５ｍｍ１１、気密シート０．２ｍｍ２１、断熱材８５ｍｍ１０で構成され、調湿材にて室内の湿度を調整する。【００１９】  本壁には、１７０角の湿度センサー付換気扇２７が設置され、設定湿度により湿度を調整でき、カビの発生を抑制し、住宅に於いては、その人それぞれの体質にあわした湿度管理ができる。【００２０】  本入り口ドア下部２８には、空気穴があいており、そこから吸気が行える。【００２１】  本天井の照明器具には、調光器が取り付けられており、自由に明るさが調整でき、リラックス感が引き出せる。【００２２】  床暖房パネル式岩盤浴構造の床暖パネルの熱源は、住宅に於いては、ボイラーを新規で設置することなく、家の暖房ボイラーとの兼用システムである。このシステムは、本体ボイラー３０温水管の送りの部分に本体暖房管より分岐して配管経路を床暖房側に設け、それぞれに電磁弁３１を設け、スイッチ３２を付けることにより、それぞれ使用時に取り扱うことができ、また同時運転も可能である。
【図面の簡単な説明】
【００２３】
【図１】本発明の実施の形態の床暖房パネル式岩盤浴構造を示す平面図である。
【図２】本発明の実施の形態の床暖房パネル式岩盤浴構造を示す縦断面図である。
【図３】図２に示す縦断面図の縦断面拡大図である。
【図４】図１に示す平面図の平面拡大図である。
【図５】住宅に於いての本体ボイラーから床暖房パネルへの配管経路図である。
【符号の説明】
【００２４】１０  断熱材
１１  プラスターボード
１２  調湿材
１３  木質パネリング廻縁
１４  木質パネリング
１５  岩盤浴平板
１６  床暖房用パネル
１７  ラワンベニヤ
１８  断熱板
１９  ラワンベニヤ
２０  セラミックタイル
２１  気密シート
２２  木下地材
２３  木下地材
２４  木下地材
２５  木下地材
２６  木下地材
２７  湿度調整センサー付換気扇
２８  出入口
２９  出入口枠
３０  暖房用ボイラー
３１  電磁弁
３２  電磁弁用スイッチ
【図１】
2007054569.tif 000003
【図２】
2007054569.tif 000004
【図３】
2007054569.tif 000005
【図４】
2007054569.tif 000006
【図５】
2007054569.tif 000007